(57)【要約】【課題】パスポート発行機のユーザの負荷を軽減することができる印刷装置を提供する。【解決手段】実施形態の印刷装置は、第１印刷部と、第２印刷部と、検出部と、制御部と、を備える。第１印刷部は、インクジェット記録方式により印刷媒体に対する印刷を行う。第２印刷部は、レーザエングレービングにより印刷媒体に対する印刷を行う。検出部は、印刷媒体の素材を検出する。制御部は、検出部により検出された素材が紙である場合、第１印刷部を制御して印刷媒体に対して第１情報を印刷し、検出部により検出された素材がプラスチックを含む場合、第２印刷部を制御して印刷媒体に対して第１情報を印刷する。【選択図】図１
2017019245.tif 000002
【特許請求の範囲】
【請求項１】
インクジェット記録方式により印刷媒体に対する印刷を行う第１印刷部と、
レーザエングレービングにより印刷媒体に対する印刷を行う第２印刷部と、
印刷媒体の素材を検出する検出部と、
前記検出部により検出された素材が紙である場合、前記第１印刷部を制御して印刷媒体に対して第１情報を印刷し、前記検出部により検出された素材がプラスチックを含む場合、前記第２印刷部を制御して印刷媒体に対して前記第１情報を印刷する制御部と、
を備えた印刷装置。
【請求項２】
冊子のページのうち印刷媒体となる第１ページを捲る捲り部を備え、
前記検出部は、前記捲り部により前記第１ページが捲られた際に前記第１ページに光を照射し、前記第１ページを透過した光に基づいて前記第１ページの素材を検出する請求項１に記載の印刷装置。
【請求項３】
前記制御部は、前記検出部により検出された素材がプラスチックを含む場合、前記第１印刷部を制御して前記印刷媒体に前記第１情報を印刷した後、前記第２制御部を制御して、前記印刷媒体に印刷済みの前記第１情報に重ねて前記第１情報を印刷する請求項１に記載の印刷装置。
【請求項４】
直接転写方式により印刷媒体に対する印刷を行う第３印刷部を備え、
前記冊子は、追記事項用のページを含むパスポートの冊子であり、
前記検出部は、前記冊子のページのうち印刷媒体となる第１ページの種類を検出し、
前記制御部は、前記検出部により検出された前記第１ページの種類が前記追記事項用である場合、前記第３印刷部を制御して前記第１ページに対して前記第１情報を印刷する請求項２に記載の印刷装置。
【請求項５】
前記制御部は、前記検出部により検出された素材が、ＰＣ（ポリカーボネート）、ＰＥＴ（ポリエチレンテレフタレート）またはＰＥＴ−Ｇ（グリコール変性ポリエステル）を含む場合に、前記第２印刷部を制御して印刷媒体に対して前記第１情報を印刷する請求項１に記載の印刷装置。
【発明の詳細な説明】
【技術分野】
【０００１】
本発明の実施形態は、印刷装置に関する。
【背景技術】
【０００２】
従来、パスポート等のＩＤ証の発行機（以下、ＩＤ証発行機と言う）等の印刷装置では、予め設定された素材の印刷媒体に対して印刷が行われていたため、印刷媒体の素材に応じて印刷方式を変更する必要がなかった。そのため、ＩＤ証発行機は、印刷媒体の素材に応じて印刷方式を選択し、印刷媒体に対する印刷方式を、当該選択した印刷方式に変更する機能を有していなかった。
【先行技術文献】
【特許文献】
【０００３】
【特許文献１】特開２００１−２７００９９号公報
【発明の概要】
【発明が解決しようとする課題】
【０００４】
しかしながら、パスポートの冊子等の印刷媒体には、ページ毎に素材が異なるものもあるため、印刷するページの素材に応じて印刷方式を変更することが求められている。
【課題を解決するための手段】
【０００５】
実施形態の印刷装置は、第１印刷部と、第２印刷部と、検出部と、制御部と、を備える。第１印刷部は、インクジェット記録方式により印刷媒体に対する印刷を行う。第２印刷部は、レーザエングレービングにより印刷媒体に対する印刷を行う。検出部は、印刷媒体の素材を検出する。制御部は、検出部により検出された素材が紙である場合、第１印刷部を制御して印刷媒体に対して第１情報を印刷し、検出部により検出された素材がプラスチックを含む場合、第２印刷部を制御して印刷媒体に対して第１情報を印刷する。
【図面の簡単な説明】
【０００６】
【図１】図１は、本実施形態にかかる印刷装置を適用したパスポート発行機の構成の一例を示すブロック図である。
【図２】図２は、本実施形態にかかるパスポート発行機が有する冊子捲り機構の概略構成の一例を示す図である。
【図３】図３は、本実施形態にかかるパスポート発行機における印刷処理の流れの一例を示すフローチャートである。
【図４】図４は、本実施形態にかかるパスポート発行機によるＩＤページに対する印刷処理の流れの一例を示すフローチャートである。
【図５】図５は、本実施形態にかかるパスポート発行機が記憶する印刷設定情報の一例を示す図である。
【発明を実施するための形態】
【０００７】
以下、添付の図面を用いて、本実施形態にかかる印刷装置を適用したパスポート発行機について説明する。パスポート発行機は、パスポートの冊子のページ（印刷媒体の一例）に対して当該パスポートの持主の個人情報等を印刷する。
【０００８】
図１は、本実施形態にかかる印刷装置を適用したパスポート発行機の構成の一例を示すブロック図である。図１に示すように、本実施形態にかかるパスポート発行機１は、汎用コンピュータと同様に、各種情報を表示可能なディスプレイ１１と、キーボード１２と、マウス１３と、上位システムまたは無線端末等の外部装置と通信可能な通信部１４と、パスポート発行機１を制御する制御部１５と、設定情報記憶部１５１と、印刷ＡＰＩ記憶部１５２と、を有している。設定情報記憶部１５１および印刷ＡＰＩ記憶部１５２は、各種情報を記憶可能なハードディスク等の記憶部によって実現される。設定情報記憶部１５１は、パスポートの冊子のページに対して印刷を行う際の印刷方式等の印刷設定情報を記憶する。また、印刷ＡＰＩ記憶部１５２は、設定情報記憶部１５１に記憶された印刷設定情報に従ってパスポート発行機１における印刷処理を実行するアプリケーション（以下、印刷アプリケーションと言う）を記憶する。
【０００９】
印刷設定情報（図５参照）は、パスポートの冊子のページの種類（例えば、パスポートの持主のＩＤを印刷するＩＤ用のページであるＩＤページ、パスポートの持主のＩＤ以外の追記情報を印刷する追記事項用のページである追記ページ）と、当該種類のページのページ番号と、当該ページ番号のページに印刷を行うか否かを示す印刷有無情報と、当該ページ番号のページの印刷に用いる印刷方式を示す印刷方式情報と、を対応付ける。
【００１０】
また、本実施形態にかかるパスポート発行機１は、図１に示すように、フィーダ１６と、冊子捲り機構１７と、ＩＣ  Ｒ／Ｗ１８と、印刷機能部１９と、検査機構２０と、冊子クローズ機構２１と、スタッカ２２と、リジェクト庫２３と、を有する。フィーダ１６は、印刷前のパスポートの冊子（以下、ブランク冊子と言う）を閉じた状態で収納する。また、フィーダ１６は、ブランク冊子を印刷機能部１９に搬送する。
【００１１】
冊子捲り機構１７は、フィーダ１６から印刷機能部１９へのブランク冊子の搬送過程において、ブランク冊子の表紙およびページを捲る。ＩＣ  Ｒ／Ｗ１８は、パスポートに埋め込まれているＩＣチップに対する各種情報の書き込みおよび読み出しを行う。印刷機能部１９は、フィーダ１６によって搬送されたブランク冊子のページに対して印刷を行う。本実施形態では、印刷機能部１９は、ＩＪ中間転写部１９ａ、レーザエングレービング部１９ｂ、およびインクジェット印刷部（ＩＪ印刷部）１９ｃを有している。
【００１２】
ＩＪ中間転写部１９ａ（第１印刷部の一例）は、インクジェット記録方式によってブランク冊子のページに対して印刷を行う。本実施形態では、ＩＪ中間転写部１９ａは、インクジェット記録方式によって中間転写体に個人情報（第１情報の一例であり、例えば、パスポートの持主のＩＤ）を印刷し、当該中間転写体に印刷された個人情報を、当該ページに転写する中間転写方式（以下、ＩＪ中間転写と言う）で印刷を行う。本実施形態では、ＩＪ中間転写部１９ａは、インクジェット記録方式によって個人情報を印刷しているが、これに限定するものではなく、例えば熱溶融型の転写方式によって個人情報を印刷しても良いし、昇華型の転写方式によって個人情報を印刷しても良い。
【００１３】
レーザエングレービング部１９ｂ（第２印刷部の一例）は、レーザエングレービングによって、ブランク冊子のページに対してレーザ光を照射して当該ページに個人情報を印刷する。インクジェット印刷部１９ｃ（第３印刷部の一例）は、レーザエングレービング以外の直接転写方式（例えば、熱溶融型の印刷方式、昇華型の印刷方式）によって、ブランク冊子のページに対して個人情報等の各種情報を印刷する。
【００１４】
検査機構２０は、印刷機能部１９により印刷が行われたパスポートの冊子（以下、印刷済み冊子と言う）の検査（例えば、印刷済み冊子のページに印刷された画像の品質の検査）を行う。冊子クローズ機構２１は、印刷済み冊子を閉じる。スタッカ２２は、検査機構２０の検査によって異常が検知されなかった印刷済み冊子（言い換えると、検査機構２０による検査に合格した印刷済み冊子）を集積する。リジェクト庫２３は、検査機構２０の検査によって異常が検知された印刷済み冊子（言い換えると、検査機構２０による検査に合格しなかった印刷済み冊子）を集積する。
【００１５】
本実施形態では、パスポート発行機１は、フィーダ１６、冊子捲り機構１７、ＩＣ  Ｒ／Ｗ１８、印刷機能部１９、検査機構２０、冊子クローズ機構２１、スタッカ２２およびリジェクト庫２３を有しているが、少なくとも、ＩＪ中間転写部１９ａおよびレーザエングレービング部１９ｂを有していれば、これに限定するものではなく、例えば、フィーダ１６、冊子捲り機構１７、ＩＣ  Ｒ／Ｗ１８、検査機構２０、冊子クローズ機構２１、スタッカ２２およびリジェクト庫２３を有していなくても良い。
【００１６】
図２は、本実施形態にかかるパスポート発行機が有する冊子捲り機構の概略構成の一例を示す図である。図２に示すように、本実施形態では、冊子捲り機構１７は、フィーダ１６から印刷機能部１９までのブランク冊子の搬送路Ｘに設けられている。具体的には、冊子捲り機構１７は、搬送路Ｘに沿って、所定間隔おきに、複数の搬送ローラ１７１ａ，１７１ｂ，１７１ｃ，１７１ｄが設けられている。搬送ローラ１７１ａ，１７１ｂ，１７１ｃ，１７１ｄは、図示しないモータによって回転駆動される。また、冊子捲り機構１７は、ブランク冊子を光学的に検知する検知センサ１７２ａ，１７２ｂ，１７２ｃ，１７２ｄを有している。
【００１７】
搬送ローラ１７１ｂ，１７１ｃの上部には、当接送り機構１７３ａ，１７３ｂが設けられている。ブランク冊子のページが捲られるページ捲り位置Ｐの上部には、真空パッド１７４ａによって吸着されて持ち上げられるページを光学的に検知するページ持上げ検知センサ１７５が設けられている。また、当接送り機構１７３ｂの近傍には、捲られたページのページ番号を検出するページ番号検出センサ１７６が設けられている。
【００１８】
当接送り機構１７３ａは、ガイド体１７７ａ、ピンチローラ１７８ａ、羽根車１７９ａ、および平行リンク機構１８０ａを備えている。ピンチローラ１７８ａおよび羽根車１７９ａは、同一のシャフトに取り付けられ、当該シャフトの回転によって回転駆動する。羽根車１７９ａは、当該シャフトの周囲に放射状に設けられ、かつ柔軟性を有する複数の叩き板を有する。そして、羽根車１７９ａは、当該シャフトの回転時に、叩き板をブランク冊子に当接させて、捲ろうとするページの下部のページを叩き落とす。
【００１９】
また、搬送路Ｘの上部には、ブランク冊子の搬送をガイドするガイド体１７７ａが設けられている。ガイド体１７７ａは、平行リンク機構１８０ａの回動によって、ピンチローラ１７８ａおよび羽根車１７９ａとともに、搬送ローラ１７１ｂに近接する搬送位置と当該搬送位置の上方の退避位置との間で移動する。
【００２０】
また、当接送り機構１７３ｂは、当接送り機構１７３ａと同様に、ガイド体１７７ｂ、ピンチローラ１７８ｂ、羽根車１７９ｂ、および平行リンク機構１８０ｂを備えている。ピンチローラ１７８ｂおよび羽根車１７９ｂは、同一のシャフトに取り付けられ、当該シャフトの回転によって回転駆動する。羽根車１７９ｂは、当該シャフトの周囲に放射状に設けられ、かつ柔軟性を有する複数の叩き板を有する。そして、羽根車１７９ａは、当該シャフトの回転時に、叩き板をブランク冊子に当接させて、捲ろうとするページの下部のページを叩き落とす。
【００２１】
また、搬送路Ｘの上部には、ブランク冊子の搬送をガイドするガイド体１７７ｂが設けられている。ガイド体１７７ｂは、平行リンク機構１８０ｂの回動によって、ピンチローラ１７８ｂおよび羽根車１７９ｂとともに、搬送ローラ１７１ｃに近接する搬送位置と当該搬送位置の上方の退避位置との間で移動する。
【００２２】
また、ページ捲り位置Ｐには、捲り吸着機構１８１が設けられている。捲り吸着機構１８１は、搬送路Ｘを介して、上下に配置される、上部側真空パッド１８１ａおよび下部側真空パッド１８１ｂを有している。下部側真空パッド１８１ｂは、吸引口が上向きに取り付けられ、ページ捲り位置Ｐに搬送されてきたブランク冊子の下面を吸引する。上部側真空パッド１８１ａは、吸引口が下向きに取り付けられ、ページ捲り位置Ｐに搬送されてきたブランク冊子の表紙およびページを吸引する。また、上部側真空パッド１８１ａは、駆動手段としての駆動用リンク板１８２に取り付けられている。そして、上部側真空パッド１８１ａは、駆動用リンク板１８２によって駆動され、ガイド板１８３に沿って移動する。これに伴って、上部側真空パッド１８１ａによって吸引された表紙またはページが移動することによって、ブランク冊子の表紙またはページが捲られる。
【００２３】
また、上部側真空パッド１８１ａの移動に伴って移動するブランク冊子のページの移動経路には、当該ページに向かって光（本実施形態では、可視光）を照射する発光素子１８４ａと、当該ページを透過した光を受光する受光素子１８４ｂとが設けられている。図１に示す制御部１５は、受光素子１８４ｂによって受光した光に基づいて、捲られたページの素材を検出する。よって、本実施形態では、発光素子１８４ａ、受光素子１８４ｂおよび制御部１５が、印刷媒体の素材を検出する検出部の一例として機能する。
【００２４】
次に、図３を用いて、本実施形態にかかるパスポート発行機１によるパスポートの冊子のページに対する印刷処理について説明する。図３は、本実施形態にかかるパスポート発行機における印刷処理の流れの一例を示すフローチャートである。
【００２５】
制御部１５は、パスポート発行機１の電源がオンされると、設定情報記憶部１５１から印刷設定情報を読み込み（ステップＳ３０１）、通信部１４によって、上位システムからパスポートの印刷指示が入力されるのを待つ。そして、上位システムからパスポートの印刷指示が入力されると、制御部１５は、フィーダ１６を制御して、当該フィーダ１６から印刷機能部１９へのブランク冊子の搬送を開始する（ステップＳ３０２）。
【００２６】
冊子捲り機構１７は、印刷機能部１９へのブランク冊子の搬送過程において、ブランク冊子が有するページを捲り、印刷対象のページ（例えば、ＩＤページ）を開く（ステップＳ３０３）。また、ＩＣ  Ｒ／Ｗ１８は、印刷機能部１９へのブランク冊子の搬送過程において、パスポートに埋め込まれたＩＣチップからの個人情報およびユニーク情報の読み取りを行い、ＩＣ処理が必要か否かを判断する（ステップＳ３０４）。ここで、ユニーク情報は、パスポート固有の情報であり、例えばパスポートに埋め込まれたＩＣチップのチップ番号やパスポートの旅券番号である。また、ＩＣ処理は、パスポートに埋め込まれたＩＣチップに対して個人情報を書き込む処理である。
【００２７】
本実施形態では、ＩＣ  Ｒ／Ｗ１８によって個人情報およびユニーク情報の読み取りを行っているが、ブランク冊子から、個人情報およびユニーク情報の読み取りを行うものであれば、これに限定するものではなく、ブランク冊子にバーコードやテキスト等が印刷されている場合には、ブランク冊子に対してＯＣＲ（Optical  Character  Recognition）を実行して、当該バーコードやテキスト等から個人情報およびユニーク情報の読み取りを行っても良い。
【００２８】
ブランク冊子に埋め込まれたＩＣチップから個人情報が読み取れた場合、ＩＣ処理が必要ないと判断して（ステップＳ３０４：Ｎｏ）、制御部１５は、ブランク冊子に対する個人情報の印刷に進む。一方、ブランク冊子に埋め込まれたＩＣチップから個人情報が読み取れなかった場合、ＩＣ処理が必要と判断して（ステップＳ３０４：Ｙｅｓ）、制御部１５は、通信部１４を介して、読み取ったユニーク情報を上位システムに送信して個人情報の送信を指示する。そして、制御部１５は、通信部１４を介して、上位システムから個人情報を受信すると、ＩＣ  Ｒ／Ｗ１８を制御して当該受信した個人情報を、ブランク冊子に埋め込まれたＩＣチップに書き込むＩＣ処理を実行する（ステップＳ３０５）。
【００２９】
次に、制御部１５は、図示しないスキャナによって、冊子捲り機構１７により開かれたＩＤページの読み取りを行って、ＩＤページに個人情報が印刷済みであるか否かを判断する（ステップＳ３０６）。ＩＤページに個人情報が印刷されていない場合（ステップＳ３０６：Ｎｏ）、制御部１５は、印刷設定情報に従って、印刷機能部１９を制御して、ＩＤページに対する個人情報の印刷を実行する（ステップＳ３０７）。一方、ＩＤページに個人情報が印刷されている場合（ステップＳ３０６：Ｙｅｓ）、制御部１５は、冊子捲り機構１７を制御して、ブランク冊子のページを捲って、追記ページが開かれるのを待つ。本実施形態では、制御部１５は、ブランク冊子のページが捲られる度に、図示しないスキャナを制御して、当該捲られたページに印刷されたページ番号等の画像を読み取り、読み取られた画像に基づいて、ブランク冊子のページのうち捲られたページ（印刷媒体となる第１ページの一例）の種類を検出する。さらに、制御部１５は、印刷設定情報に従って、追記ページに印刷を行うか否かを判断する（ステップＳ３０８）。追記ページに印刷を行うと判断し（ステップＳ３０８：Ｙｅｓ）かつ検出されたページの種類が追記事項用である場合、制御部１５は、ＩＪ印刷部１９ｃを制御して、追記ページに対する個人情報の印刷を実行する（ステップＳ３０９）。これにより、追記事項を印刷する場合には、直接転写方式により印刷を行うことにより、印刷速度を向上させることができる。
【００３０】
具体的には、制御部１５は、ステップＳ３０１で読み込んだ印刷設定情報において、追記ページのページ番号（例えば、「３」）と対応付けられた印刷有無情報が、当該追記ページに対して印刷を行うことを示しているか否かを判断する。そして、制御部１５は、印刷有無情報が、追記ページに対して印刷を行うことを示している場合、図５に示す印刷設定情報において、追記ページのページ番号と対応付けられた印刷方式情報が示す印刷方式（例えば、インクジェット記録方式（ＩＪ））を選択する。その後、制御部１５は、ＩＪ印刷部１９ｃを制御して、インクジェット記録方式によって、追記ページに対して個人情報を印刷する。
【００３１】
ＩＤページに対する個人情報の印刷が完了した場合、追記ページに対する個人情報の印刷が完了した場合、若しくは追記ページに印刷を行わないと判断した場合（ステップＳ３０８：Ｎｏ）、制御部１５は、印刷設定情報に従って、ブランク冊子に対する印刷が完了したか否かを判断する（ステップＳ３１０）。ブランク冊子に対する印刷が完了していないと判断した場合（ステップＳ３１０：Ｎｏ）、ステップＳ３０３に戻り、冊子捲り機構１７は、ブランク冊子のページを捲り、印刷対象のページを開く。
【００３２】
一方、ブランク冊子に対する印刷が完了したと判断した場合（ステップＳ３１０：Ｙｅｓ）、検査機構２０は、印刷済み冊子の検査を実行する（ステップＳ３１１）。さらに、冊子クローズ機構２１は、印刷済み冊子のページを捲り、印刷済み冊子を閉じる（ステップＳ３１２）。次いで、制御部１５は、検査機構２０による印刷済み冊子の検査に合格したか否かを判断する（ステップＳ３１３）。検査機構２０による印刷済み冊子の検査に合格した場合（ステップＳ３１３：Ｙｅｓ）、制御部１５は、印刷済み冊子をスタッカ２２に排出する（ステップＳ３１４）。一方、検査機構２０による印刷済み冊子の検査に合格しなかった場合（ステップＳ３１３：Ｎｏ）、制御部１５は、印刷済み冊子をリジェクト庫２３に排出する（ステップＳ３１５）。
【００３３】
次に、図４および図５を用いて、本実施形態にかかるパスポート発行機１によるＩＤページに対する印刷処理の詳細について説明する。図４は、本実施形態にかかるパスポート発行機によるＩＤページに対する印刷処理の流れの一例を示すフローチャートである。図５は、本実施形態にかかるパスポート発行機が記憶する印刷設定情報の一例を示す図である。
【００３４】
制御部１５は、ＩＤページ（第１ページの一例）に個人情報が印刷されていないと判断した場合（図３のステップＳ３０６参照）、図３のステップＳ３０１で読み込んだ印刷設定情報（図５参照）において、ＩＤページのページ番号と対応付けられた印刷有無情報が、当該ＩＤページに対して印刷を行うことを示しているか否かを判断する。ここで、印刷有無情報が、ＩＤページに対して印刷を行わないことを示している場合、制御部１５は、ＩＤページに対する個人情報の印刷を行わずに、印刷処理を終了する。
【００３５】
一方、印刷有無情報が、ＩＤページに対して印刷を行うことを示している場合、制御部１５は、冊子捲り機構１７によってＩＤページが捲られた際に発光素子１８４ｂによりＩＤページに光を照射しかつ受光素子１８４ａにより受光した光に基づいて、当該ＩＤページの素材を検出する。パスポートの冊子のＩＤページには、紙、またはポリカーボネート（ＰＣ）、ポリエチレンテレフタレート（ＰＥＴ）、グリコール変性ポリエステル（ＰＥＴ−Ｇ）等のプラスチックが用いられる。また、パスポートの冊子のＩＤページには、プラスチックと紙とを貼り合わせたものもある。ところで、紙は、当該紙を構成する繊維間に隙間があるため、発光素子１８４ｂから照射される可視光を透過させる。一方、ＰＣ、ＰＥＴ、ＰＥＴ−Ｇは、当該ＰＣ、ＰＥＴまたはＰＥＴ−Ｇを含む素材が透明でない場合には、発光素子１８４ｂから照射される可視光を透過させない。通常、パスポートの冊子のページは透明ではないため、ＩＤページの素材にプラスチックが含まれる場合、ＩＤページは、発光素子１８４ｂから照射される可視光を透過させない。
【００３６】
よって、本実施形態では、制御部１５は、ＩＤページに可視光を照射した際に受光素子１８４ａにより受光した光の透過率が、予め設定された透過率（紙に可視光を照射した際に受光素子１８４ａにより受光した光の透過率）より低い場合、ＩＤページの素材がプラスチックを含むことを検出する。一方、制御部１５は、ＩＤページに可視光を照射した際に受光素子１８４ａにより受光した光の透過率が、予め設定された透過率以上である場合、ＩＤページの素材が紙であることを検出する。
【００３７】
検出した素材が紙である場合、制御部１５は、インクジェット記録方式（本実施形態では、ＩＪ中間転写）のみを選択する。次いで、ＩＪ中間転写が選択されると（ステップＳ４０１：Ｙｅｓ）、制御部１５は、ＩＪ中間転写部１９ａを制御して、ＩＪ中間転写によって、ＩＤページに対して個人情報を印刷する（ステップＳ４０２）。検出したＩＤページの素材が紙である場合、ＩＪ中間転写のみが選択され、レーザエングレービング（ＬＥ）は選択されないので（ステップＳ４０３：Ｎｏ）、ＩＪ中間転写部１９ａによる印刷終了後、制御部１５は、ＩＤページに対する個人情報の印刷を終了する。これにより、検出した素材が紙である場合に、ＩＤページに対する印刷方式が、ハードウェアの改造や入替や追加を行うことなく、インクジェット記録方式に変更されるので、パスポート発行機１のユーザの負荷を軽減することができる。
【００３８】
一方、検出した素材にプラスチックが含まれる場合、制御部１５は、図５に示す印刷設定情報に基づいて、少なくとも、レーザエングレービング（ＬＥ）を、ＩＤページの印刷における印刷方式として選択する。例えば、制御部１５は、図５に示す印刷設定情報において、ＩＤページのページ番号（例えば、「２」）と対応付けられた印刷方式情報が示す印刷方式（例えば、中間転写方式（ＩＪ中間転写）およびレーザエングレービング（ＬＥ）、またはレーザエングレービング（ＬＥ）のみ）を選択する。
【００３９】
次いで、制御部１５は、ＩＪ中間転写が選択されたか否かを判断する（ステップＳ４０１）。ＩＪ中間転写が選択された場合（ステップＳ４０１：Ｙｅｓ）、制御部１５は、ＩＪ中間転写部１９ａを制御して、ＩＪ中間転写によって、ＩＤページに対して個人情報を印刷する（ステップＳ４０２）。ＩＪ中間転写部１９ａによるＩＤページに対する個人情報の印刷が終了すると、制御部１５は、レーザエングレービングが選択されたか否かを判断する（ステップＳ４０３）。検出した素材にプラスチックが含まれる場合、レーザエングレービングは必ず選択されるので（ステップＳ４０３：Ｙｅｓ）、制御部１５は、ＬＥ部１９ｂを制御して、レーザエングレービングによって、ＩＪ中間転写によってＩＤページに印刷済みの個人情報に対して、個人情報を重ねて印刷する墨入れ処理を実行する（ステップＳ４０４）。また、制御部１５は、ＩＪ中間転写が選択されなかった場合も（ステップＳ４０１：Ｎｏ）、レーザエングレービングが選択されたか否かを判断する（ステップＳ４０３）。上述したように、検出した素材にプラスチックが含まれる場合、レーザエングレービングが必ず選択されるので（ステップＳ４０３：Ｙｅｓ）、制御部１５は、ＬＥ部１９ｂを制御して、レーザエングレービングによって、ＩＤページに対して個人情報を印刷する（ステップＳ４０４）。これにより、検出した素材にプラスチックが含まれる場合に、ＩＤページに対する印刷方式が、ハードウェアの改造や入替や追加を行うことなく、レーザエングレービングを含む印刷方式に変更されるので、パスポート発行機１のユーザの負荷を軽減することができる。すなわち、制御部１５は、検出した素材にプラスチックが含まれる場合、ＬＥ部１９ｂを制御して、少なくともレーザエングレービングによって、ＩＤページに対して個人情報を印刷する。
【００４０】
このように、本実施形態にかかるパスポート発行機１によれば、検出した素材に応じて、ハードウェアの改造や入替や追加を行うことなく、ＩＤページに対する印刷方式が変更されるので、パスポート発行機１のユーザの負荷を軽減することができる。また、パスポート等のＩＤ証のセキュリティ向上を図る際に、パスポート発行機１の印刷方式による制限を大幅に軽減することができる。さらに、印刷方式を変更する際に、パスポート発行機１単体で印刷方式を制御することができる。
【００４１】
なお、本実施形態のパスポート発行機１で実行されるプログラム（例えば、印刷アプリケーション）は、ＲＯＭ（Read  Only  Memory）等に予め組み込まれて提供される。また、本実施形態のパスポート発行機１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４２】
さらに、本実施形態のパスポート発行機１で実行されるプログラムを、インターネット等のネットワークに接続されたコンピュータ上に格納し、ネットワーク経由でダウンロードさせることにより提供するように構成しても良い。また、本実施形態のパスポート発行機１で実行されるプログラムをインターネット等のネットワーク経由で提供または配布するように構成しても良い。
【００４３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００４４】
１  パスポート発行機
１５  制御部
１５１  設定情報記憶部
１５２  印刷ＡＰＩ記憶部
１６  フィーダ
１７  冊子捲り機構
１９  印刷機能部
１９ａ  ＩＪ中間転写部
１９ｂ  ＬＥ部
１９ｃ  ＩＪ印刷部
【図１】
2017019245.tif 000003
【図２】
2017019245.tif 000004
【図３】
2017019245.tif 000005
【図４】
2017019245.tif 000006
【図５】
2017019245.tif 000007